(57)【特許請求の範囲】
【請求項１】
第一パネルと第二パネルの間に幅方向へ連続するレールを備え、該レールを介して第一パネルと第二パネルが相対的に幅方向へスライド可能とした室内ペット用規制柵において、
第一パネルの内面には、幅方向へ連続する断面視略コの字形状の第一パネル用レールを備え、該第一パネル用レールは一端部から幅方向へ所定範囲で連続する第一切欠部を備え、
第二パネルの内面には、幅方向へ連続する断面視略コの字形状の第二パネル用レールを備え、該第二パネル側レールは一端部から幅方向へ所定範囲で連続する第二切欠部を備え、
前記第一切欠部と前記第二切欠部とが対向する重合位置で、前記第一パネル側レールと第二パネル側レールとの相互のコの字形状を組合せるためのスライドを可能とし、
前記第一パネル側レールと第二パネル側レールの組合せで、第一パネルと第二パネルとが連結されていることを特徴とする室内ペット用規制枠。
【請求項２】
第一パネルの内面に断面視略コの字形状の第一補助レールを備え、
第二パネルの内面に断面視略コの字形状の第二補助レールを備え、
前記第一補助レールと第二補助レールは、相互のコの字形状の開口からガイド壁を噛合しており、且つ、相対的に幅方向にスライド可能であることを特徴とする請求項１記載の室内ペット用規制枠。
【請求項３】
第一パネルと第二パネルの間に中間パネルを備え、第一パネルと中間パネルの間にレールを備え、第二パネルと中間パネルの間にレールを備え、第一パネル、中間パネル、第二パネルが相対的に幅方向へスライド可能とした室内ペット用規制柵において、
第一パネルの内面には、幅方向へ連続する断面視略コの字形状の第一パネル用レールを備え、該第一パネル用レールは、一端部から幅方向へ所定範囲で連続する第一切欠部を備え、
第二パネルの内面には、幅方向へ連続する断面視略コの字形状の第二パネル用レールを備え、該第二パネル側レールは、一端部から幅方向へ所定範囲で連続する第二切欠部を備え、
中間パネルの内面及び外面には、幅方向へ連続する断面視略コの字形状の中間パネル用レールを備え、該中間パネル用レールは一端部から幅方向へ所定範囲で連続する外面側切欠部を備え、
前記第一切欠部と前記外面側切欠部とが対向する重合位置で、前記第一パネル側レールと前記中間パネル側レールとの相互のコの字形状を組合せるためのスライドを可能とし、
前記第一パネル側レールと前記中間パネル側レールの組合せで、第一パネルと中間パネルとが連結されており、
前記第二切欠部と前記外面側切欠部とが対向する重合位置で、前記第二パネル側レールと前記中間パネル側レールとの相互のコの字形状を組合せるためのスライドを可能とし、
前記第二パネル側レールと前記中間パネル側レールの組合せで、第二パネルと中間パネルとが連結されていることを特徴とする室内ペット用規制枠。
【請求項４】
第一パネルの内面に断面視略コの字形状の第一補助レールを備え、
第二パネルの内面に断面視略コの字形状の第二補助レールを備え、
中間パネルの外面及び内面に断面視略コの字形状の中間補助レールを備え、
前記第一補助レールと中間補助レールは、相互のコの字形状の開口から第一ガイド壁及び外側板を噛合しており、且つ、相対的に幅方向へスライド可能とし、
前記第二補助レールと中間補助レールは、相互のコの字形状の開口から第二ガイド壁及び外側板を噛合しており、且つ、相対的に幅方向へスライド可能としたことを特徴とする請求項３記載の室内ペット用規制柵。
【請求項５】
第一パネル又は第二パネルの少なくともいずれかを貫通し、他のパネルを押圧するスライド固定手段を備えたことを特徴とする請求項１、２、３又は４記載の室内ペット用規制柵。
【請求項６】
少なくとも第一パネル又は第二パネルの側端面にクッション部材を設けたことを特徴とする請求項１、２、３、４又は５記載の室内ペット用規制柵。
【発明の詳細な説明】
【技術分野】
【０００１】
本発明は、主として室内において犬等の愛玩動物の行動範囲を規制するための柵（以下、室内ペット用規制柵）に関するものである。
【背景技術】
【０００２】
従来、屋内において、室内犬等の愛玩動物の行動範囲を規制するために、ペット用規制柵が使用されている。
【０００３】
例えば、正面パネルと、該正面パネルの両側に設けられた側面パネルとを備え、側面パネルが正面パネルと交差方向に突出し、自立可能に構成され、左右幅長さを変更可能とする室内ペット用規制柵が公知である（例えば、特許文献１参照。）。
【先行技術文献】
【特許文献】
【０００４】
【特許文献１】特開２００６−４２７９２号公報
【特許文献２】特開２００８−１１８９３１号公報  第３０図
【発明の概要】
【発明が解決しようとする課題】
【０００５】
上記特許文献１に係る室内ペット用規制柵は、幅調整機構として、重合する二枚の正面パネル間に位置決用穴を設け、位置決用インサートナットを用いて連結する構成である。また、位置決用穴は長孔とすることができる。このため、組立設置時や使用箇所を変更する場合には、その都度、位置決用穴にインサートナットを挿入するが、位置決用穴に長孔を用いた場合であっても、隣接する長孔間の位置では固定することができないことから、必ずしも目的の幅寸法に適合できるとは限らず、不便であった。
【０００６】
また、組立設置時には、分離した複数枚の正面パネルを、その一部を重ねた状態で前記目的の幅寸法に合わせ、位置決め用穴を選択する必要があることから、組立操作は煩雑であった。
【０００７】
上記のように、室内ペット用規制柵としては、位置決め穴による構成が一般的であり、設置場所の幅寸法に正確に適合させるには手間がかかる。
【０００８】
その一方で、ペット用の大型のサークル（柵によって四方を取り囲む構成のもの）について複数のパネルをスライドさせることが可能な構造として、レールと該レールに嵌り込む車輪からなる構造が開示されている（例えば、特許文献２参照。）。このため、特許文献２に係るペット用サークルの構造を、室内ペット用規制柵に適用するも考えられる。
【０００９】
しかしながら、当該構成を屋内で使用する室内ペット用規制柵として使用する場合には、レールの端から車輪を通る必要がある。このため二枚のパネルの取着には、重量物である二枚のパネルを略横に並べた状態として、レールの端の位置に車輪をガイドさせなければならず、狭い室内で行うには、作業が行いがたいことが多く、非常に重労働となる。
【００１０】
更に、パネル単体に取着されたレールや車輪は、相互に取付ける状態では略外側から観察できなくなるため、パネルに取着されたレールと車輪を取り付けることは非常に行いがたく、狭い室内においてでこのような組立作業を行うことは、非常に煩わしく、室内ペット用規制柵に用いる構造としては、適さないものであった。
【００１１】
本発明は、以上の事情に鑑みてなされたものであり、設置場所の幅寸法に正確で簡単に適合でき、且つ、組立操作が非常に簡単に行える、優れた室内ペット用規制柵の提供を、発明が解決しようとする課題とする。
【課題を解決するための手段】
【００１２】
本発明は、第一パネルと第二パネルの間に幅方向へ連続するレールを備え、該レールを介して第一パネルと第二パネルが相対的に幅方向へスライド可能とした室内ペット用規制柵において、第一パネルの内面には、幅方向へ連続する断面視略コの字形状の第一パネル用レールを備え、該第一パネル用レールは一端部から幅方向へ所定範囲で連続する第一切欠部を備え、第二パネルの内面には、幅方向へ連続する断面視略コの字形状の第二パネル用レールを備え、該第二パネル側レールは一端部から幅方向へ所定範囲で連続する第二切欠部を備え、前記第一切欠部と前記第二切欠部とが対向する重合位置で、前記第一パネル側レールと第二パネル側レールとの相互のコの字形状を組合せるためのスライドを可能とし、前記第一パネル側レールと第二パネル側レールの組合せで、第一パネルと第二パネルとが連結されていることを特徴とする室内ペット用規制枠を、課題を解決するための手段とする。尚、上記第一切欠部及び第二切欠部の形成範囲を確定する「一端部」とは、第一パネル用レール及び第二パネルレールを連結させる際に相互に当接させる側の端部をいう。
【００１３】
また、本発明は、上記発明の構成に加え、第一パネルの内面に断面視略コの字形状の第一補助レールを備え、第二パネルの内面に断面視略コの字形状の第二補助レールを備え、前記第一補助レールと第二補助レールは、相互のコの字形状の開口からガイド壁を噛合しており、且つ、相対的に幅方向にスライド可能であることを特徴とする室内ペット用規制枠を、課題を解決するための手段とする。
【００１４】
また、本発明は、第一パネルと第二パネルの間に中間パネルを備え、第一パネルと中間パネルの間にレールを備え、第二パネルと中間パネルの間にレールを備え、第一パネル、中間パネル、第二パネルが相対的に幅方向へスライド可能とした室内ペット用規制柵において、第一パネルの内面には、幅方向へ連続する断面視略コの字形状の第一パネル用レールを備え、該第一パネル用レールは、一端部から幅方向へ所定範囲で連続する第一切欠部を備え、第二パネルの内面には、幅方向へ連続する断面視略コの字形状の第二パネル用レールを備え、該第二パネル側レールは、一端部から幅方向へ所定範囲で連続する第二切欠部を備え、中間パネルの内面及び外面には、幅方向へ連続する断面視略コの字形状の中間パネル用レールを備え、該中間パネル用レールは一端部から幅方向へ所定範囲で連続する外面側切欠部を備え、前記第一切欠部と前記外面側切欠部とが対向する重合位置で、前記第一パネル側レールと前記中間パネル側レールとの相互のコの字形状を組合せるためのスライドを可能とし、前記第一パネル側レールと前記中間パネル側レールの組合せで、第一パネルと中間パネルとが連結されており、前記第二切欠部と前記外面側切欠部とが対向する重合位置で、前記第二パネル側レールと前記中間パネル側レールとの相互のコの字形状を組合せるためのスライドを可能とし、前記第二パネル側レールと前記中間パネル側レールの組合せで、第二パネルと中間パネルとが連結されていることを特徴とする室内ペット用規制枠を、課題を解決するための手段とする。尚、上記第一切欠部、第二切欠部及び中間切欠部の形成範囲を確定する「一端部」とは、第一パネル用レール、第二パネルレール若しくは中間パネルレールのうちいずれか二つを連結させる際に相互に当接させる側の端部をいう。
【００１５】
また、本発明は、上記構成に加え、第一パネルの内面に断面視略コの字形状の第一補助レールを備え、第二パネルの内面に断面視略コの字形状の第二補助レールを備え、中間パネルの外面及び内面に断面視略コの字形状の中間補助レールを備え、前記第一補助レールと中間補助レールは、相互のコの字形状の開口から第一ガイド壁及び外側板を噛合しており、且つ、相対的に幅方向へスライド可能とし、前記第二補助レールと中間補助レールは、相互のコの字形状の開口から第二ガイド壁及び外側板を噛合しており、且つ、相対的に幅方向へスライド可能としたことを特徴とする室内ペット用規制柵を、課題を解決するための手段とする。
【００１６】
更に本発明は、上記いずれかの発明を前提として、第一パネル又は第二パネルの少なくともいずれかを貫通し、他のパネルを押圧するスライド固定手段を設けたことを特徴とする室内ペット用規制柵を、課題を解決するための手段とする。
【００１７】
更に本発明は、上記いずれかの発明を前提として、少なくとも第一パネル又は第二パネルの側端面にクッション部材を設けたことを特徴とする室内ペット用規制柵を、課題を解決するための手段とする。
【発明の効果】
【００１８】
請求項１に係る発明によれば、第一パネルと第二パネルの間に幅方向へ連続するレールを備え、該レールを介して第一パネルと第二パネルが相対的に幅方向へスライド可能とした室内ペット用規制柵において、第一パネルの内面には、幅方向へ連続する断面視略コの字形状の第一パネル用レールを備え、該第一パネル用レールは一端部から幅方向へ所定範囲で連続する第一切欠部を備え、第二パネルの内面には、幅方向へ連続する断面視略コの字形状の第二パネル用レールを備え、該第二パネル側レールは一端部から幅方向へ所定範囲で連続する第二切欠部を備え、前記第一切欠部と前記第二切欠部とが対向する重合位置で、前記第一パネル側レールと第二パネル側レールとの相互のコの字形状を組合せるためのスライドを可能とし、前記第一パネル側レールと第二パネル側レールの組合せで、第一パネルと第二パネルとが連結されていることから、従来のように第一パネル用レールの一端部から第二パネル用レールの他端部を差込んで連結する必要がなく、第一切欠部と第二切欠部の位置にあわせて、第一パネルと第二パネルを重合させた上で幅方向にスライドさせることで、非常に狭い作業空間であっても、簡単に第一パネルと第二パネルを連結することができる。そして、当該状態によって室内の両側方にある壁に対して突き当たるまで第一パネル及び第二パネルをスライドさせることで、最適な幅で設置することができる。
【００１９】
請求項２に係る発明によれば、上記請求項１に係る発明の構成を備えた上で、
第一パネルの内面に断面視略コの字形状の第一補助レールを備え、第二パネルの内面に断面視略コの字形状の第二補助レールを備え、前記第一補助レールと第二補助レールは、相互のコの字形状の開口からガイド壁を噛合しており、且つ、相対的に幅方向にスライド可能であることから、第一パネルと第二パネルの連結に際して第一補助レールと第二補助レールは相互のコの字形状の開口から外側板を差込状態とし、且つ、相対的に幅方向にスライド可能とした状態が保たれることで、補助レール相互を噛合して、該噛合箇所を支点として第一切欠部と第二切欠部を突き合わせてパネルを重ね合わせる操作を行うだけで、第一パネル用レールと第二パネル用レールを重合でき、その後のスライド操作によってきわめて簡単に、第一パネルと第二パネルが連結でき、非常に効率良く設置が行える室内ペット用規制柵とすることができる。
【００２０】
請求項３に係る発明によれば、第一パネルと第二パネルの間に中間パネルを備え、第一パネルと中間パネルの間にレールを備え、第二パネルと中間パネルの間にレールを備え、第一パネル、中間パネル、第二パネルが相対的に幅方向へスライド可能とした室内ペット用規制柵において、第一パネルの内面には、幅方向へ連続する断面視略コの字形状の第一パネル用レールを備え、該第一パネル用レールは、一端部から幅方向へ所定範囲で連続する第一切欠部を備え、第二パネルの内面には、幅方向へ連続する断面視略コの字形状の第二パネル用レールを備え、該第二パネル側レールは、一端部から幅方向へ所定範囲で連続する第二切欠部を備え、中間パネルの内面及び外面には、幅方向へ連続する断面視略コの字形状の中間パネル用レールを備え、該中間パネル用レールは一端部から幅方向へ所定範囲で連続する外面側切欠部を備え、前記第一切欠部と前記外面側切欠部とが対向する重合位置で、前記第一パネル側レールと前記中間パネル側レールとの相互のコの字形状を組合せるためのスライドを可能とし、前記第一パネル側レールと前記中間パネル側レールの組合せで、第一パネルと中間パネルとが連結されており、前記第二切欠部と前記外面側切欠部とが対向する重合位置で、前記第二パネル側レールと前記中間パネル側レールとの相互のコの字形状を組合せるためのスライドを可能とし、前記第二パネル側レールと前記中間パネル側レールの組合せで、第二パネルと中間パネルとが連結されていることから、第一パネル、中間パネル、第二パネルから構成される室内ペット用規制柵についても、上記請求項１と同等の作用効果を得ることができる。
【００２１】
請求項４に係る発明によれば、上記請求項３にかかる発明の構成を前提として、第一パネルの内面に断面視略コの字形状の第一補助レールを備え、第二パネルの内面に断面視略コの字形状の第二補助レールを備え、中間パネルの外面及び内面に断面視略コの字形状の中間補助レールを備え、前記第一補助レールと中間補助レールは、相互のコの字形状の開口から第一ガイド壁及び外側板を噛合しており、且つ、相対的に幅方向へスライド可能とし、前記第二補助レールと中間補助レールは、相互のコの字形状の開口から第二ガイド壁及び外側板を噛合しており、且つ、相対的に幅方向へスライド可能としたことから、上記請求項２に係る発明と同様に、中間パネルを付加した室内ペット用規制柵についても、補助レールによるガイド機能を利用して、より簡単に組立ができる。
【００２２】
請求項５に係る発明によれば、請求項１、請求項２、請求項３又は請求項４に係る発明の構成を備えた上で、第一パネル又は第二パネルのいずれか一方を貫通し、いずれか他方を押圧するパネル固定手段を備えたことから、第一パネルと第二パネルの双方を貫通することがないことによって、上記請求項１又は請求項２の構成によって得られる最適な幅での設置状態でパネルを固定することができる。
【００２３】
請求項６に係る発明によれば、請求項１、請求項２、請求項３、請求項４又は請求項５に係る発明の構成を備えた上で、少なくとも第一パネル又は第二パネルの側端面にクッション部材を設けたことから、上記本発明の各構成による作用効果を得ることができることは勿論、設置箇所の左右に壁面がある場所において、幅方向へ伸張させて左右の壁面に対して強く押し付けた状態を保持でき、強固な設置を実現することができる。
【図面の簡単な説明】
【００２４】
【図１】本発明の実施例１に係る室内ペット用規制柵を示す斜視図である。
【図２】本発明の実施例１に係る室内ペット用規制柵を構成する第一パネルを示す脚部を省略した正面図及び脚部を省略した左側面図である。
【図３】本発明の実施例１に係る室内ペット用規制柵を構成する第二パネルを示す脚部を省略した正面図及び脚部を省略した左側面図である。
【図４】本発明の実施例１に係る室内ペット用規制柵における第一パネルと第二パネルを組合せる前の状態を示す斜視図である。
【図５】本発明の実施例１に係る室内ペット用規制柵における第一パネル用レールと第二パネル用レールとの組合せの関係について示す斜視図である。
【図６】本発明の実施例１に係る室内ペット用規制柵における第一補助レールと第二補助レールの噛合の関係を示す斜視図である。
【図７】本発明の実施例１に係る室内ペット用規制柵における第一切欠部位置での一部縦断面を示すものであり、（ａ）第一補助レールと第二補助レールを噛合させる前の状態、（ｂ）第一補助レールと第二補助レールを噛合させた状態、（ｃ）第一切欠部と第二切欠部をあわせて第一パネルと第二パネルを重合した状態、（ｄ）第一パネルと第二パネルを相対的に幅方向へスライドさせて第一パネル用レールと第二パネル用レールが連結された状態を示す、一部縦断面図である。
【図８】本発明の実施例１に係る室内ペット用規制柵における第一切欠部と第二切欠部をあわせて第一パネルと第二パネルを重合した状態を示す斜視図である。
【図９】本発明の実施例１に係る室内ペット用規制柵における第一パネルと第二パネルを相対的に幅方向へスライドさせて連結した状態を示す斜視図である。
【図１０】本発明の実施例２に係る室内ペット用規制柵を示す斜視図である。
【図１１】本発明の実施例３に係る室内ペット用規制柵における中間パネルを示す正面図である。
【図１２】本発明の実施例３に係る中間パネルに対して第一パネルの第一補助レール及び第二パネルの第二補助レールを中間パネルの中間パネル補助レールに噛合して中間パネルに対して第一パネル及び第二パネルを重合した状態を示す斜視図。
【図１３】本発明の実施例３に係る室内ペット用規制柵において伸張状態として脚部を追加した構成を示す斜視図である。
【図１４】本発明の実施例３に係る室内ペット用規制柵における第一パネル、中間パネル及び第二パネルの相互の関係を示す説明側面図である。
【発明を実施するための形態】
【００２５】
室内における設置場所の幅寸法に正確に適合できること、及び、室内での組立操作が非常に簡単に行える室内ペット用規制柵Ｆを、第一切欠部１００を形成したレールと第二切欠部２００を形成したレールの組合せ、更には、対となる補助レールを加えることで、実現した。
【実施例１】
【００２６】
本発明の実施例１に係る室内ペット用規制柵Ｆは、図１の全体図及び図２から図９の各図に示すように、第一パネル１、第二パネル２、該第一パネル１及び第二パネル２に取着される第一パネル用レール１０、第二パネルレール２０、第一補助レール１１及び第二補助レール２１を主要な構成とし、両端に備えた脚部１３、２３によって室内に配置するものである。
【００２７】
本実施例１に使用する第一パネル１は、幅６６０ｍｍ、高さ５８０ｍｍ程度となる木製の枠体に金属製（スチール製）線材で構成される遮蔽柵体１ｂを嵌め込んで一体とした第一パネル本体１ａと、該第一パネル本体１ａの内面側上枠に幅方向へ亘って取着される第一パネル用レール１０と、前記第一パネル本体１ａの内面側下枠に幅方向へ亘って取着される第一補助レール１１と、第一パネル本体１ａの外面側下枠の一端に取着された脚部１３とを備える。
【００２８】
第一パネル用レール１０は、図２、図５等に示すように、長さ６００ｍｍ程度の長尺平板となる基板１０１の両側に側面板を垂直に立ち上げた、断面視略コの字形状となる金属製（アルミニウム製）のレールである。前記側面板の一方を第一パネル本体１ａの内面に取着する第一取付壁１０２とし、前記側面板の他方を第一ガイド壁１０３とする。
【００２９】
第一ガイド壁１０３の長手中央から一端（図２において正面視左端）までの範囲で、第一パネル１の幅方向に連続する第一切欠部１００を形成している。第一切欠部１００は長手方向に約３００ｍｍの形成幅とし、第一ガイド壁１０３の高さが１５ｍｍに対して１０ｍｍ程度の深さで形成されている。このため第一切欠部１００を形成した位置での第一ガイド壁１０３の高さは約５ｍｍとなる。第一切欠部１００によって形成される高さ方向の切込輪郭線１００ａは、高さ方向に対して傾斜した輪郭線として設けている。
【００３０】
当該第一パネル用レール１０は、断面視略コの字形状の開口を下方へ向けて第一パネル本体１ａの内面側上枠に取着される。第一取付壁１０２には第一パネル本体１ａに対してビス止めを行うためのざぐり穴を設けてある。皿ビス等を用いて、前記第一パネル用レール１０を第一パネル本体１ａに固定する。
【００３１】
第一補助レール１１は、図２、図６等に示すように、長尺平板となる基板１１１の両側に側面板を垂直に立ち上げた、断面視略コの字形状となる金属製（アルミニウム製）のレールである。尚、第一補助レール１１は、第一パネル用レール１０の第一切欠部１００に相当する切欠部を有しない。
【００３２】
第一補助レール１１の側面板のうち、第一パネル本体１ａの内面に取着する側を内側板１１２、これに対向する側を外側板１１３とする。外側板１１３は内側板１１２よりも高さ寸法を低く設定している。内側板１１２の高さ寸法を十分に採ることで第一補助レール１１と第一パネル用レール１０との接触面積を十分に確保して接着強度を高めるとともに、外側板１１３は第二パネル２における第二補助レール２１との噛合を容易とするためである。
【００３３】
第一補助レール１１は、断面視略コの字形状の開口を上方へ向けて第一パネル本体１ａの内面側下枠に取着される。内側板１１２には第二パネル本体２ａに対してビス止めを行うためのざぐり穴を設けてあり、皿ビス等を用いて第一パネル本体１ａに固定する。
【００３４】
本実施例１に使用する第二パネル２は、図３にその正面図を示すように、幅６６０ｍｍ、高さ５８０ｍｍ程度となる木製の枠体に金属製（スチール製）線材で構成される遮蔽柵体２ｂを嵌め込んで一体とした第二パネル本体２ａと、該第二パネル本体２ａの内面側上枠に幅方向へ亘って取着される第二パネル用レール２０と、前記第二パネル本体２ａの内面側下枠に幅方向へ亘って取着される第二補助レール２１と、第二パネル本体２ａの外面側下枠の一端に取着された脚部２３と、第一パネル１のスライドをロックするためのスライド固定手段Ｓとを備える。
【００３５】
第二パネル２における第二パネル用レール２０は、図３、図５等に示すように、前記第一パネル１における第一パネル用レール１０に対応する第二切欠部２００を備えたものである。長尺平板である基板２０１の両側端から側面板を起立形成した断面視略コの字形状を有し、一方の側面板を第二パネル本体２ａの内面に取着する第二取付壁２０２とし、他方の側面板を第二ガイド壁２０３とする。
第二切欠部２００は、前記第一切欠部１００と略同一の形成幅を有する。第二パネル用レール２０は、断面視略コの字形状の開口を上方へ向けて第二パネル本体２ａの内面側上枠に取着される。
【００３６】
本実施例１における第二補助レール２１は、図６に示すように、構成部品としては第一補助レール１１と略共通する構成としたものである。第二補助レール２１の側面板のうち、第二パネル本体２ａの内面に取着する側を内側板２１２、これに対向する側を外側板２１３とする。第二補助レール２１は、断面視略コの字形状の開口を下方へ向けて第二パネル本体２ａの内面側下枠に取着される。
【００３７】
第二パネル本体２ａの上端角近傍及びその下方となる下端角近傍位置には、前記スライド固定手段として、螺子穴と、該螺子穴に螺合するスライド固定ボルトＳを設けている。該スライド固定ボルトＳは、固定ボルトの基端に摘みを取着した構成としている。
【００３８】
組立に際しては、予め第一パネル１及び第二パネル２の底面に、ゴム等の滑止部材を取付けることができる。滑止部材には、取付けを容易とするための粘着層を上面に設けることができる。
【００３９】
図４及び図５に示すように、第一パネル１の内面と第二パネル２の内面を対向した状態で、第一パネル１と第二パネル２の相対的な幅方向の位置を、第一切欠部１００と第二切欠部２００が対向する位置とする。そして、第一補助レール１１と第二補助レール２１を噛合させる（図６、図７（ａ）及び（ｂ）参照。）。
即ち、第一補助レール１１の開口に対して第二補助レール２１の外側板２１３を差込む。第一補助レール１１と第二補助レール２１の双方が断面視略コの字形状であるため、同時に、第二補助レール２１の下方の開口に対して第一補助レール１１の外側板１１３が差込まれることとなる。
【００４０】
次に、第一パネル用レール１０の第一切欠部１００と第二パネル用レール２０の第二切欠部２００とを重ねるように、第一パネル用レール１０と第二パネル用レール２０を重合する（図７（ｃ）、図８参照。）。
この際に、第一切欠部１００を形成した位置の第一ガイド壁１０３と第二切欠部２００を形成した位置の第二ガイド壁２０３とが干渉しない状態としてあるため、第一パネル用レール１０と第二パネル用レール２０を重合することで、前記切欠部の形成位置で、第一パネル用レール１０の第一取付壁１０２と第二パネル用レール２０の第二ガイド壁２０３が当接する。
【００４１】
また、本実施例１では第一パネル用レール１０と第二パネル用レール２０の各基板、側面板が略同寸法で形成されているため、同時に第二パネル用レール２０の第二取付壁２０２と第一パネル用レール１０の第一ガイド壁１０３が当接する。
【００４２】
この状態において、第一パネル用レール１０と第二パネル用レール２０を相対的にスライドさせることによって、第一切欠部１００と第二切欠部２００が伸張方向へスライドすることで引き離されて、第一パネル用レール１０の断面視略コの字形状内に第二パネル用レール２０の第二ガイド壁２０３が入り、また第二パネル用レール２０の断面視略コの字形状内に第一パネル用レール１０の第一ガイド壁１０３が入り込んで、第一パネル１と第二パネル２が離脱不能な状態に維持される。
【００４３】
また、本実施例１では、第一パネル用レール１０及び第二パネル用レール２０の双方の断面視略コの字形状を利用した、上記に示す組み合わせによって、コの字の開口幅よりも開口内に入り込んだガイド壁の厚み寸法が小さいため（図２及び図３に開示する開口幅Ｗ１に対する厚み寸法Ｔ２、開口幅Ｗ２に対する厚み寸法Ｔ１を参照。）、開口内に一定の隙間が生じることで、レールのスライド中に引っ掛かりを生じることがなく、円滑なスライドを確保することができる。当該構成は、パネル用レールに過度の精度を求めなくともよいため、レールの製造コスト低減に役立つ。
【００４４】
図９及び図７（ｄ）に示すように、第一補助レール１１及び第二補助レール２１が噛合した状態で、第一パネル用レール１０と第二パネル用レール２０を組合わせ、第一パネル１及び第二パネル２を相対的に左右方向へスライドさせることによって、室内ペット用規制柵Ｆが伸張される。所望の位置で、第二パネル２の上端角及び下端角に設けられたスライド固定ボルトの摘みを指で回転させて押込み、スライド固定ボルトの先端で第一パネル１の内面を押圧することで、スライドをロックすることができる。スライドをロックすることによって、本実施例１に係る室内ペット用規制柵Ｆが組立状態となる。
【００４５】
そして図１に示すように、第一パネル１と第二パネル２を相対的に伸張した後に、第一パネル１の内面と第二パネル２の内面における下端に脚部１３、２３を夫々追加することができる。このように脚部１３、２３の各一方を後付けするのは、本発明の第一パネル１及び第二パネル２の重合及びスライドを行うためである。
【００４６】
また、本実施例１においては、図１０に示すように、第一パネル１の側端及び第二パネル２の側端の各上下位置にクッション手段Ｃを取着することができる。本実施例におけるクッション手段Ｃは、雄螺子部材の頭部に弾力性を有するクッション部材を取着したものであり、第一パネル１の側端面及び第二パネル２の側端面に設けられた雌螺子（図示せず）に螺着することができる。
【００４７】
尚、上記本実施例１の組立について、図５から図７に示す、第一パネル１の内面と第二パネル２の内面を対向した状態で、第一パネル１と第二パネル２の相対的な幅方向の位置を、第一切欠部１００と第二切欠部２００が対向する位置とした上で、第一補助レール１１と第二補助レール２１を噛合させる点については、例えば、先に第一補助レール１１と第二補助レール２１を噛合させた後、第一切欠部１００と第二切欠部２００が対向する位置まで第一パネル１若しくは第二パネル２をスライドさせて行うこともできる。
【実施例２】
【００４８】
次に本発明の実施例２に係るペット用柵について図１１から図１４に示すと共に、説明する。本発明の実施例２に係る室内ペット用規制柵Ｆは、実施例１における第一パネル１及び第二パネル２の間に一枚の中間パネル３を介在させた構成である。実施例２における第一パネル１の構成及び第二パネル２の各構成は、実施例１と形状が概ね共通するものである。尚、本実施例２については、スライド固定手段は、第一パネル１及び第二パネル２の双方に設けている。また、本実施例２に係る中間パネル３は脚部を有しない。
【００４９】
本発明の実施例２における中間パネル３は、図１１に示すように、幅６６０ｍｍ、高さ５８０ｍｍ程度となる木製の枠体に金属製線材で構成される遮蔽柵体３ｂを嵌め込んで一体とした中間パネル本体３ａと、該中間パネル本体３ａの正面側及び背面側の両面の上枠に幅方向へ亘って取着される中間パネル用レール３０を備え、前記中間パネル本体３ａの正面側及び背面側の下枠に幅方向へ亘って取着される中間パネル補助レール３１を備えている。
【００５０】
中間パネル用レール３０は、長尺の基板３０１の両端に側面板を起立形成した断面視略コの字形状を有する構成である。側面板のうち、中間パネル３に当接する側面板を内側板３０２とし、他方の側面板を外側板３０３とする。中間パネル３の正面側の外側板３０３には、第一パネル用レール１０の第一切欠部１００に対応する外面側切欠部３００ａを設けてある。また、中間パネルの背面側の外側板３０３には、第二パネル用レール２０の第二切欠部２００に対応する外面側切欠部３００ｂを設けている。
【００５１】
中間パネル補助レール３１は、正面側及び背面側のいずれも長尺の基板３１１の両端に側面板を起立形成した断面視略コの字形状を有する構成である。側面板のうち、中間パネル３に当接する側面板を内側板３１２とし、他方の側面板を外側板３１３とする。
【００５２】
第一パネル１と連結される側（正面側）の中間パネル用レール３０は、開口を上向とし、第二パネル２と連結される側（背面側）の中間パネル用レール３０は開口を下向きとしている。また、第一補助レール１１と連結される側の中間補助レール３１は開口を下向きとし、第二パネル用レール２０と連結される側の中間補助レール３１は開口を上向きとしている。
【００５３】
実施例１の第一パネル１及び第二パネル２の組立と同様に、中間パネル３に対して、第一パネル１、第二パネル２を取付けることができる。即ち、第一パネル１と中間パネル３の取着については、先ず、第一パネル１と中間パネル３の相対的な幅方向の位置を、第一切欠部１００と外面側切欠部３００ａが対向する位置となるように、第一パネル１の第一補助レール１１の上向きの開口に対して中間パネル３の中間パネル補助レール３１の外側板３１３を噛合させる。そして、第一切欠部１００と外面側切欠部３００ａとの位置を合わせながら第一パネル１と中間パネル３を重合する。当該操作によって第一パネル用レール１０の第一取付壁１０２と中間パネル用レール３０（第一中間パネル用レール３０ａ）の外側板３０３が当接する。
【００５４】
そして、第二パネル２と中間パネル３の取着については、同様に、第二パネル２と中間パネル３の相対的な幅方向の位置を、第二切欠部２００と外面側切欠部３００ｂが対向する位置となるように、第二パネル２の第二補助レール２１の下向きの開口に対して中間パネル３における中間パネル補助レール３１の外側板３１３を噛合させる。そして第二切欠部２００と外面側切欠部３００ｂとの位置を合わせながら第二パネル２と中間パネル３を重合する。当該操作によって第二パネル用レール２０の第二取付壁２０２と中間パネル用レール３０（第二中間パネル３０ｂ）の外側板３０３が当接する。
【００５５】
この状態において、中間パネル３に対して第一パネル１及び第二パネル２を夫々中間パネル３に対して伸張方向にスライドさせることで、第一パネル１、第二パネル２及び中間パネル３を相互に取付けることができる。尚、第一パネル１（若しくは第二パネル２）と中間パネル３を先に連結伸張した後に、第二パネル２（若しくは第一パネル１）と中間パネル３を連結伸張した構成とすることもできる。
【００５６】
また、本実施例２では第一パネル用レール１０と中間パネル用レール３０の各基板、側面板が略同寸法で形成されているため、同時に中間パネル用レール３０の内側板３０２と第一パネル用レール１０の第一ガイド壁１０３が当接する。
【００５７】
この状態において、第一パネル用レール１０と中間パネル用レール３０を相対的にスライドさせることによって、第一切欠部１００と外面側切欠部３００ａが伸張方向へスライドすることで引き離されて、第一パネル用レール１０の断面視略コの字形状内に中間パネル用レール３０の外側板３０３が入り、また中間パネル用レール３０の断面視略コの字形状内に第一パネル用レール１０の第一ガイド壁１０３が入り込んで、第一パネル１と中間パネル３が離脱不能な状態に維持される。所望の位置で、第一パネル１の上端角及び下端角に設けられたスライド固定ボルトＳの把持部を指で右回転させて押込み、中間パネル３の内面若しくは中間パネル３に取着された中間パネル用レール３０の一部を押圧することで、スライドをロックすることができる。
【００５８】
中間パネル３と第二パネル２においても、それぞれのパネル用レールの開口位置が上下逆転するものの、同構成によって、第二パネル２と中間パネル３を連結することができる。
【００５９】
尚、本発明は上記実施例に限定されるものではなく、例えば、上記実施例２において中間パネル３を一枚用いたものを示したが、中間パネル３は一枚のみならず、複数枚用いるものも含む。中間パネル３を複数枚設ける場合には、中間パネル３相互において、相互の中間パネル用レール３０に設けた切欠部の位置を合わせて中間パネル３相互を重合し、相対的に幅方向にスライドさせることで、連結することができる。
【００６０】
また、上記各実施例では、レールの断面視略コの字の形状について、長尺の基板の両側に側面板を垂直に立ち上げた構成としているが、本発明は上記実施例に限らず側面板の先端に、更に内向きに長手方向にリブ等を形成することもできる。また両側の側面板相互の高さはいずれか一方が他方の側面板よりも低くすることもできるし、同じ高さとすることもできる。また、レールの材質はアルミニウム製に限らず、スチール製等他の一般的な材質のものを利用することができる。
【００６１】
また、上記各実施例において、レールに形成される切欠部はレールの一側面のみ（例えば、第一パネル用レール１０であれば第一ガイド壁１０３）を切欠した構成として示しているが、本発明はこれに限るものではなく、切欠部はレールの基板の一部に達するものであってもよい。換言すれば、切欠部を形成する箇所においては、パネルに取着される側となるレールの側面（例えば、第一パネル用レール１０であれば、第一取付壁１０２）が存在すればよい。
即ち、第一パネル用レール１０であれば、切欠部相互が重合する際に、対応する第二パネル用レール２０の第二ガイド壁２０３若しくは中間パネル用レール３０の外側板３０３が当該第一パネル用レール１０の第一ガイド壁１０３と干渉することなく、対応する第二パネル用レール２０の第二ガイド壁２０３若しくは中間パネル用レール３０の外側板３０３が第一パネル用レール１０の断面視略コの字形状となる部分へ円滑にスライドできればよい。
【００６２】
第一パネル本体１ａ及び第二パネル本体２ａに対する各レールの取着については、上記実施例のようにビス等で固着してもよいし、接着層を介在させて貼着する等、種々の公知手段を用いることができる。
【００６３】
上記したように、本実施例では、第一切欠部１００及び第二切欠部２００の形成幅を、夫々３００ｍｍ程度としているが、この形成幅は、任意に設定することができる。形成幅を大きくすればするほど、組立時における第一パネル１と第二パネル２の重合代（重合される部分）を大きくすることができ、組立時の作業性が向上する。
【００６４】
また、上記実施例ではいずれも、脚部１３、２３の各一方のみをパネルに取付けた状態で行ったが、全ての脚部を第一パネル１と第二パネル２の伸張後に取付けることもできる。しかしながら、実施例に開示したように、脚部１３、２３の各一方のみを先に第一パネル１及び第二パネル２に取付けた状態で第一パネル１と第二パネル２を連結することによって、組立中にパネルが倒れる不具合を防止することができる点で優れる。
【００６５】
尚、切欠部によって形成される高さ方向の切込輪郭線は、上記したように、実施例１、２に高さ方向に対して傾斜して設けたものとしたが、本発明はこれに限るものではなく、例えば、高さ方向と水平とすることもできるし、また曲線とすることもできる。
【００６６】
また、本発明においては、スライド固定手段の使用によって押圧される第一パネル１、第二パネル２若しくは中間パネル３に傷若しくは押圧痕を残さないようにするために、各パネル用レールや補助レールの一部を押圧する構成とすることができる。また、他の例としては、図示省略するが、スライド方向に連続した溝を有する金属製保護板を、前記いずれかのパネルに取着することができる。
【００６７】
また、本発明の各実施例は、パネルの上端側に各パネル用レール、下端側に各補助レールを利用する構成を示したが、本発明はこれに限るものではなく、これらの天地を反転した構成、即ち、パネルの下端側に各パネル用レール、上端側に各補助レールを利用する構成とすることも含む。
【００６８】
更に本発明は、各パネルの下枠に補助レールを用いる代わりに、切欠部を有するパネル用レールを用い、各パネルの上枠側及び下枠側の双方に切欠部を有するパネル用レールを設けた構成とすることもできる。
【符号の説明】
【００６９】
１        第一パネル
１ａ      第一パネル本体
１ｂ      遮蔽柵体
１０      第一パネル用レール
１００    第一切欠部
１００ａ  切込輪郭線
１０１    基板
１０２    第一取付壁
１０３    第一ガイド壁
１１      第一補助レール
１１１    基板
１１２    内側板
１１３    外側板
１２      枠体
１３      脚部
２        第二パネル
２ａ      第二パネル本体
２ｂ      遮蔽柵体
２０      第二パネル用レール
２００    第二切欠部
２０１    基板
２０２    第二取付壁
２０３    第二ガイド壁
２１      第二補助レール
２１１    基板
２１２    内側板
２１３    外側板
２３      脚部
３        中間パネル
３ａ      中間パネル本体
３ｂ      遮蔽柵体
３０      中間パネル用レール
３０ａ    第一中間パネル用レール
３０ｂ    第二中間パネル用レール
３００ａ  外面側切欠部（第一切欠部に対応）
３００ｂ  外面側切欠部（第二切欠部に対応）
３０１    基板
３０２    内側板
３０３    外側板
３１      中間パネル補助レール
３１１    基板
３１２    内側板
３１３    外側板
Ｃ        クッション手段
Ｆ        室内ペット用規制柵
Ｓ        スライド固定ボルト
Ｔ１      厚み寸法（第一ガイド壁の厚み寸法）
Ｔ２      厚み寸法（第二ガイド壁の厚み寸法）
Ｗ１      開口幅（第一パネル用レールの開口幅）
Ｗ２      開口幅（第二パネル用レールの開口幅）
【図１】
0005840433.tif 000002
【図２】
0005840433.tif 000003
【図３】
0005840433.tif 000004
【図４】
0005840433.tif 000005
【図５】
0005840433.tif 000006
【図６】
0005840433.tif 000007
【図７】
0005840433.tif 000008
【図８】
0005840433.tif 000009
【図９】
0005840433.tif 000010
【図１０】
0005840433.tif 000011
【図１１】
0005840433.tif 000012
【図１２】
0005840433.tif 000013
【図１３】
0005840433.tif 000014
【図１４】
0005840433.tif 000015